(57)【要約】【課題】より適正なタイミングで空気の浄化を行う空気清浄機管理システムを提供する。【解決手段】空気清浄機管理システム１は、複合機２と、複合機２から受信した動作設定情報に基づいて動作可能な空気清浄機３と、を備える。空気清浄機３は、ほこりセンサ３７を有し、ほこりセンサ３７のセンサ情報を複合機２に送信する。複合機２は、空気清浄機３から受信したセンサ情報を蓄積すると共に空気清浄機２に送信する動作設定情報を記憶する記憶部２２を有し、該記憶部２２に記憶されている動作設定情報を、記憶部２２に蓄積されているセンサ情報に基づいて変更する。【選択図】図１
2016201757.tif 000002
【特許請求の範囲】
【請求項１】
画像形成機能及び／または画像読取機能を有する画像処理装置と、
環境情報を取得するセンサを有し、前記画像処理装置から受信した動作設定情報に基づいて動作可能な空気清浄機と、を備え、
該空気清浄機は、前記センサでの取得結果を前記画像処理装置に送信し、
該画像処理装置は、前記空気清浄機から受信した前記センサでの取得結果を蓄積すると共に前記空気清浄機に送信する動作設定情報を記憶する記憶部を有し、該記憶部に記憶されている前記動作設定情報を、前記記憶部に蓄積されている取得結果に基づいて変更することを特徴とする空気清浄機制御システム。
【請求項２】
前記環境情報は、ほこり、においまたは湿度に関する情報であることを特徴とする請求項１に記載の空気清浄機制御システム。
【請求項３】
前記画像処理装置は、前記記憶部に蓄積／記憶されている前記取得結果及び／または前記動作設定情報を表示する表示部を有することを特徴とする請求項１または２に記載の空気清浄機管理システム。
【請求項４】
前記空気清浄機を複数備え、前記画像処理装置は前記複数の空気清浄機それぞれの動作設定情報を前記記憶部に記憶しそれぞれの前記空気清浄機に送信することを特徴とする請求項１〜３のいずれか１に記載の空気清浄機管理システム。
【請求項５】
画像形成機能及び／または画像読取機能を有する画像処理装置であって、
環境情報を取得するセンサを有し当該画像処理装置から受信した動作設定情報に基づいて動作可能な空気清浄機から受信した、前記センサでの取得結果を蓄積すると共に前記空気清浄機に送信する動作設定情報を記憶する記憶部を有し、
該記憶部に記憶されている前記動作設定情報を、前記記憶部に蓄積されている取得結果に基づいて変更することを特徴とする画像処理装置。
【発明の詳細な説明】
【技術分野】
【０００１】
本発明は、空気清浄機制御システム、特に、画像形成機能及び／又は画像読取機能を有する画像処理装置を用いた空気清浄機制御システム及び画像処理装置に関する。
【背景技術】
【０００２】
多くのオフィスでは、プリンタやスキャナ等の画像処理装置が設置されている。また、近年、健康志向の高まり等に応じて、空気を清浄化することを目的として空気清浄装機がオフィスにおいても広く使用されている。空気清浄機能を備えた画像処理装置なども出てきている（例えば特許文献１及び２）。
【０００３】
特許文献１及び２には、画像形成部と、空気清浄動作部とを備えた画像処理装置が開示されており、特許文献１に開示の画像処理装置では、空気清浄動作部の電源ＯＮを画像形成部の電源ＯＮに先行して行う。また、特許文献２の画像処理装置では、使用電力が所定の値以上になることなく内蔵の空気清浄機能を有効に活用できるようにするために、画像形成機能の動作モードに基づいて空気清浄機能の動作制御を行っている。
【先行技術文献】
【特許文献】
【０００４】
【特許文献１】特開２０１１−３３７８号公報
【特許文献２】特開２０１１−１２１２７２号公報
【発明の開示】
【発明が解決しようとする課題】
【０００５】
しかし、特許文献１に開示の技術は、画像形成機能以外に起因して空気の汚れが発生した場合に、空気の浄化が遅れることがある。また、特許文献２に開示の方法は、そのような空気の浄化の遅れに対応するものではない。
【０００６】
本発明は、上述のような実情に鑑みてなされたものであり、より適正なタイミングで空気の浄化を行う空気清浄機管理システム及び画像処理装置を提供することをその目的とする。
【課題を解決するための手段】
【０００７】
上記課題を解決するために、本発明の第１の技術手段は、画像形成機能及び／または画像読取機能を有する画像処理装置と、環境情報を取得するセンサを有し、前記画像処理装置から受信した動作設定情報に基づいて動作可能な空気清浄機と、を備え、該空気清浄機は、前記センサでの取得結果を前記画像処理装置に送信し、該画像処理装置は、前記空気清浄機から受信した前記センサでの取得結果を蓄積すると共に前記空気清浄機に送信する動作設定情報を記憶する記憶部を有し、該記憶部に記憶されている前記動作設定情報を、前記記憶部に蓄積されている取得結果に基づいて変更することを特徴としたものである。
【０００８】
本発明の第２の技術手段は、第１の技術手段において、前記環境情報が、ほこり、においまたは湿度に関する情報であることを特徴としたものである。
【０００９】
本発明の第３の技術手段は、第１または第２の技術手段において、前記画像処理装置が、前記記憶部に蓄積／記憶されている前記取得結果及び／または前記動作設定情報を表示する表示部を有することを特徴としたものである。
【００１０】
本発明の第４の技術手段は、第１〜第３のいずれか１の技術手段において、前記空気清浄機を複数備え、前記画像処理装置が前記複数の空気清浄機それぞれの動作設定情報を前記記憶部に記憶しそれぞれの前記空気清浄機に送信することを特徴としたものである。
【００１１】
本発明の第５の技術手段は、画像形成機能及び／または画像読取機能を有する画像処理装置であって、環境情報を取得するセンサを有し当該画像処理装置から受信した動作設定情報に基づいて動作可能な空気清浄機から受信した、前記センサでの取得結果を蓄積すると共に前記空気清浄機に送信する動作設定情報を記憶する記憶部を有し、該記憶部に記憶されている前記動作設定情報を、前記記憶部に蓄積されている取得結果に基づいて変更することを特徴としたものである。
【発明の効果】
【００１２】
本発明によれば、より適正なタイミングで空気の浄化を行うことができる。
【図面の簡単な説明】
【００１３】
【図１】本発明の空気清浄機制御システムの一例を示すブロック図である。
【図２】図１の複合機の記憶部が記憶している動作設定情報を記録したテーブルの一例を示す図である。
【図３】図１の複合機の記憶部が記憶している平均ほこり密度を記録したテーブルの一例を示す図である。
【図４】図１の複合機による動作設定情報の変更処理例を説明するための図である。
【図５】図１の複合機におけるほこりセンサの情報の取得処理の一例を説明するフローチャートである。
【図６】図１の複合機における空気清浄機の動作設定の決定処理の一例を説明する図である。
【図７】図１の複合機における空気清浄機の動作設定の決定処理の他の例を説明する図である。
【発明を実施するための形態】
【００１４】
以下、図面を参照しながら、本発明の空気清浄機制御システム及び画像処理装置の好適な実施形態について説明する。なお、以下の発明において、異なる図面においても同じ符号を付した構成は同様のものであるとして、その説明を省略する。
【００１５】
（第１の実施形態）
図１は、本発明の空気清浄機制御システムの一例を示すブロック図である。
図１の空気清浄機制御システム１は、複合機２と、空気清浄機３とを備える。複合機２と空気清浄機３は、ＵＳＢ（Universal Serial Bus）ケーブル等を用いて有線接続されている。ただし、無線接続としてもよい。
【００１６】
複合機２は、プリンタ機能、コピー機能の他、ファクシミリ通信機能やデータファイリング機能、スキャン機能などの複数の機能を備えたＭＦＰ（Multi Function Peripheral） として構成されたもので、本発明の画像処理装置の一例である。空気清浄機３は、空気清浄機能を有する。
【００１７】
空気清浄機３は、制御部３１、記憶部３２、操作部３３、ＭＦＰ Ｉ／Ｆ３４、フィルタ３５、ファン３６、ほこりセンサ３７を備える。
制御部３１は、マイクロコンピュータ等から構成されるもので、記憶部３２に記憶したプログラムを読み出して実行することで空気清浄機３全体を制御する。
記憶部３２は、ＲＯＭ（Read Only Memory）やＲＡＭ（Random Access Memory），ＨＤＤ（Hard Disk Drive）などの各種記録媒体から成り、空気清浄機３の機能を実現させるプログラムやデータを記憶する。
【００１８】
操作部３３は、入力部３３ａと表示部３３ｂを有する。入力部３３ａは、ユーザからの入力を受け付けるタッチパネルやハードキーを有する。タッチパネルは、表示部３３ｂに重ねて配置され、表示部３３ｂの表示面に対するユーザの操作を検出する。ハードキーには空気清浄機３の電源ＯＮ／ＯＦＦするための電源キーなどが含まれる。表示部３３ｂは例えば液晶パネルである。
【００１９】
ＭＦＰ Ｉ／Ｆ３４は、複合機２と接続されたＵＳＢケーブルが接続される。空気清浄機３は、このＭＦＰ Ｉ／Ｆ３４を介して複合機２と通信可能であり、複合機２からの指示に応じて動作することができるようになっている。
【００２０】
フィルタ３５は、例えば周知の活性炭を含む活性炭フィルタであり、このフィルタ３５を通過する空気中の浮遊物を吸着して、空気を浄化する。例えば、空気中の塵埃、カビ等を吸着して除去する。また、複合機２から排出されたシリコンやオゾン等の化学物質等も吸着して除去することができる。
ファン３６は、モータにより回転駆動されて、空気流を発生し、空気を不図示の吸入口から吸入し、フィルタ３５を通過させた後、不図示の吹出口から吹き出させる。
【００２１】
ほこりセンサ３７は、空気中の埃を検出するためのものであり、発光素子と受光素子とを有する。発光素子の発する光は空気中の塵埃によって反射され、受光素子に届く。受光素子は受光した光量に比例した電圧を発生する。したがって、受光素子の出力電圧をモニタすることにより、空気中の埃密度を知ることができる。
【００２２】
複合機２は、制御部２１、記憶部２２、操作部２３、通信部２４、空気清浄機Ｉ／Ｆ２５、画像読取部２６、画像形成部２７を有する。
【００２３】
制御部２１は、ＣＰＵ（Central Processing Unit）等から構成されるもので、記憶部２２に記憶したプログラムを読み出して実行することで複合機２全体を制御する。また、制御部２１は、経過時間を計測するタイマ２１ａと、曜日や日時を含む現在時刻を計時する時計部２１ｂを有する。
【００２４】
記憶部２２は、ＲＯＭやＲＡＭ，ＨＤＤなどの各種記録媒体から成り、複合機２の各種機能を実現させるプログラムや、ＰＣ（Personal Computer）などの外部機器から送信された印刷データ、画像読取部２６により読み取った画像データ等を記憶する。さらに、記憶部２２は、後述の動作設定テーブルや平均密度テーブルを記憶する。
【００２５】
操作部２３は、入力部２３ａと表示部２３ｂを有する。入力部２３ａは、ユーザからの入力を受け付けるタッチパネルやハードキーを有する。タッチパネルは、表示部２３ｂに重ねて配置され、表示部２３ｂの表示面に対するユーザの操作を検出する。ハードキーには空気清浄機３の電源ＯＮ／ＯＦＦするための電源キーやコピー部数等を設定するためのテンキーなどが含まれる。表示部２３ｂは例えば液晶パネルである。
【００２６】
通信部２４は、有線によりＬＡＮ（Local Area Network）等のネットワークＮに接続されており、ネットワークＮを介して外部機器と通信を行う。通信部２４は無線によりネットワークＮに接続されていてもよい。
空気清浄機Ｉ／Ｆ２５は、空気清浄機３と接続されたＵＳＢケーブルが接続されており、複合機２と空気清浄機３は、のＭＦＰ Ｉ／Ｆ３４を介して通信可能となっている。
【００２７】
画像読取部２６は、不図示の原稿台にセットされた原稿を光学的に読み取って画像データとして出力するものである。画像読取部２６は、例えば原稿に光を照射する光源と、原稿からの反射光をラインイメージに結像させるレンズやミラーなどの光学系と、原稿からの反射光を受け取って原稿画像を読み取るイメージセンサと、イメージセンサから出力されたアナログ画像信号をデジタル変換する変換部 などを備えることができる。
【００２８】
画像形成部２７は、画像データを記録紙に画像形成（印刷）する機能を有する。例えば画像形成部２７は、用紙の搬送装置、感光体ドラム、帯電装置、レーザーユニット、現像装置、転写分離装置、クリーニング装置、及び定着装置等を備え、電子写真プロセスによって画像形成を行うように構成される。画像形成部２７による画像形成は他の方式であってもよい。
【００２９】
以上のような装置からなる空気清浄機システム１では、空気清浄機３が複合機２から受信した動作設定情報に基づいて動作する。複合機２では、空気清浄機３に送信する動作設定情報を例えばテーブルの形態で記憶部２２に記憶している。
【００３０】
図２は、複合機２の記憶部２２が記憶している動作設定情報を記録したテーブルの一例を示す図である。
図２の動作設定テーブルＴ１には、１時間毎に空気清浄機２に送信する風量モードに係る動作設定情報が１週間分記録されている。動作設定テーブルＴ１は、平日の日中は８時台や１９時台以降を除き、空気清浄機能が強い「強」モードや中程度の「中」モードとし、土曜日の日中は空気清浄機能が弱い「弱」モードとし、日曜日は空気清浄機能を動作させない「ＯＦＦ」モードとすることを示している。
空気清浄機３では受信した動作設定情報に基づいてファン３６の動作を制御する。例えば、空気清浄機３は「強」／「中」／「弱」モードではそれぞれ高／中／低回転速度でファン３６を動作させる。
【００３１】
また、複合機２は、空気清浄機３のほこりセンサ３７でのほこり密度取得結果すなわちセンサ情報を該空気清浄機３から取得し記憶部２２に蓄積している。センサ情報は、例えばほこりセンサ３７の出力レベルを示す情報であり、以下の例では「１」〜「３」のいずれかを示すものとする。ほこりセンサ３７の出力レベルは、値が大きいほど空気中のほこりの量が多いことを示す値である。そして、複合機２は、所定のタイミングで１時間毎のほこりセンサ３７の平均出力レベルすなわち平均ほこり密度を算出し、例えばテーブルの形態で記憶する。
【００３２】
図３は、複合機２の記憶部２２が記憶している平均ほこり密度を記録したテーブルの一例を示す図である。
図３の平均密度テーブルＴ２には、７日前までの１時間毎の平均ほこり密度であって、四捨五入されたものが記録されている。平均密度テーブルＴ２は、平日である２月１１日、１２日、１５日、１６日、１７日、１８日の午後１３時台から１７時台までの平均ほこり密度が高く、土曜日である２月１３日の日中の平均ほこり密度が中程度であり、日曜日である２月１４日の平均ほこり密度が低いことを示している。
なお、１時間毎の平均ほこり密度の算出タイミングは、１時間おきであってもよいし、１日１回まとめて行うようにしてもよい。
【００３３】
複合機２では、記憶部２２に記憶されている動作設定情報を、記憶部２２に蓄積されているほこりセンサ３７でのほこり密度取得結果に基づいて変更する。例えば、複合機２では、記憶部２２に記憶されている動作設定テーブルＴ１を、平均密度テーブルＴ２に基づいて変更する。具体的には、例えば、２月１８日が木曜日であるとすると、複合機２は、現在の日付が２月１９日に変わった時などに、平均密度テーブルＴ２に記載された、２月１８日の平均ほこり密度情報と、動作設定テーブルＴ１に記載された木曜日の風量モードに係る動作設定情報すなわち翌週２月２５日の木曜日に空気清浄機３に送信される動作設定情報を変更する。言い換えると、２月１８日の平均ほこり密度情報と、その平均ほこり密度情報が得られたときの動作設定情報に基づいて、２月２５日の木曜日の動作設定情報を決定する。なお、動作設定情報の変更タイミングは、上述の例に限られず、例えば木曜日に送信する動作設定情報を前日の水曜日に変更するようにしてもよい。
【００３４】
図４は、複合機２による動作設定情報の変更処理例を更に具体的に説明するための図である。
例えば、ある曜日の７時台から１０時台の風量モードに係る動作設定情報が図４（Ａ）に示すように全て「ＯＦＦ」モードとされており、空気清浄機３が該動作設定情報に従って動作したときに取得された平均ほこり密度が図４（Ｂ）に示すように９時台のみ「３」と高かったとする。このとき、複合機２は例えば図４（Ｃ）に示すように９時台の動作設定情報のみ変更し「強」モードとする。
【００３５】
翌週、図４（Ｃ）の動作設定情報に従って動作したときに取得された平均ほこり密度が図４（Ｄ）に示すように図４（Ｂ）のときと変わらなければ、複合機２は例えば図４（Ｅ）に示すように９時台の動作設定情報を「強」モードに維持したまま８時台の動作設定情報を「中」モードに変更する。
さらに翌週、図４（Ｅ）の動作設定情報に従って動作したときに取得された平均ほこり密度が図４（Ｆ）に示すように図４（Ｄ）のときなどに比べて変わったが９時台の平均ほこり密度が「１」にならずに「２」であった場合、複合機２は例えば図４（Ｇ）に示すように９時台の動作設定情報を「強」モード、８時台の動作設定情報を「中」モードにそれぞれ維持したまま７時台の動作設定情報を「弱」に変更したり、図４（Ｈ）に示すように９時台の動作設定情報を「強」モードに維持したまま８時台の動作設定情報についても「強」モードに変更したりする。
【００３６】
図４のような変更は、例えば、平均ほこり密度の時間変化とそのときの動作設定情報の組み合わせに応じてどのように翌週の動作設定情報を変更するかの情報を予め記憶しておき、この情報に基づいて行われる。この場合、予め記憶されていない組み合わせであったとき動作設定情報は維持することで対応可能である。
【００３７】
以上のような構成とすることで、空気清浄機制御システム１では、予想される空気の汚れ度に応じて空気浄化を行うことができる。
【００３８】
図５は、複合機２におけるほこりセンサ３７の情報の取得処理の一例を説明するフローチャートである。
複合機２は、該複合機２の電源がＯＮされる等して、ほこりセンサ３７のセンサ情報の取得処理が開始されると、図５に示すように、タイマ２１ａに基づき一定時間待機した後（ステップＳ１）、空気清浄機３にセンサ状態問合せコマンドを発行する（ステップＳ２）。一定時間は例えば５分である。複合機２は、該コマンドに対する複合機２からの応答を待機し（ステップＳ３）、該コマンドに対する応答として空気清浄機３からほこりセンサ３７のセンサ情報を受信すると、現在時刻と共に記憶部２２に記憶する（ステップＳ４）。時刻情報付きのセンサ情報を以下センサ情報ログという。そして、処理をステップＳ１に戻して上述の処理を繰り返すことにより、ほこりセンサ３７のセンサ情報ログを記憶部２２に蓄積する。記憶部２２は、例えば１週間分のセンサ情報ログを蓄積しておく。
【００３９】
図６は、複合機２における空気清浄機３の動作設定の決定処理の一例を説明する図である。以下の説明では、複合機２の記憶部２２には、図２の動作設定テーブルＴ１及び図３の平均密度テーブルＴ２が記憶されており、また、平均ほこり密度情報とそのときの動作設定情報の組み合わせに適した新たな動作設定情報が記憶されているものとする。
複合機２は、例えば日付が変わった際などの１日毎に、以下の空気清浄機３の動作設定の決定処理を行う。
【００４０】
図６の動作設定決定処理では、複合機２は、２月１９日に日付が変わり、その前日である２月１８日分の平均ほこり密度情報の計算が終了した後に、まず２月１８日の平均ほこり密度情報のパターンすなわち１時間毎の平均ほこり密度情報を平均密度テーブルＴ２から抽出すると共に、２月１８日が属する木曜日の風量モードに係る動作設定情報のパターンすなわち１時間毎の動作設定情報を動作設定テーブルＴ１から抽出する（ステップＳ１１）。そして、抽出された平均ほこり密度情報及び動作設定情報のパターンの組み合わせに適した新たな動作設定情報のパターンが記憶部２２に記憶されているか判定する（ステップＳ１２）。
【００４１】
記憶されている場合（ＹＥＳの場合）、複合機２は、動作設定テーブルＴ１の木曜日の動作設定情報のパターンを、その記憶されていた上記新たな動作設定情報のパターンに書き換える（ステップＳ１３）。上記新たな動作設定情報のパターンが記憶されていなければ、動作設定情報の変更を行わずにそのまま処理を終了する。
【００４２】
（第２の実施形態）
図７は、複合機２における空気清浄機３の動作設定の決定処理の他の例を説明する図である。
第１の実施形態では、平均ほこり密度情報のパターンに応じて空気清浄機３の動作設定情報のパターンを複合機２が決定していたが、第２の実施形態では、過去の同時間帯の平均ほこり密度に応じて該時間帯の空気清浄機３の動作設定情報を複合機２が変更／決定する。
【００４３】
図７の動作設定決定処理は、例えば１時間毎に行われるものであり、同処理において、複合機２は、まず現在時刻を取得する（ステップＳ２１）。そして、複合機２は、例えば７日前すなわち１週間前の同じ曜日の現在時刻と同時刻の時間帯におけるほこりセンサ３７のセンサ情報ログを記憶部２２から一時間分取得し（ステップＳ２２）、取得したほこりセンサ３７のセンサ情報ログの平均値すなわち平均ほこり密度を計算する（ステップＳ２３）。その後、複合機２は、計算した平均ほこり密度が基準値より高いか否か判定する（ステップＳ２４）。
【００４４】
高くない場合（ＮＯの場合）、複合機２は、計算した平均ほこり密度が基準値より低いか否か判定する（ステップＳ２５）。
低くない場合（ＮＯの場合）、複合機２は、図２の動作設定テーブルＴ１に記載されている現在時刻が属する曜日及び時間帯の風量モードに係る動作設定情報を抽出し、空気清浄機３に送信する（ステップＳ２６）。
【００４５】
一方、ステップＳ２４において、平均ほこり密度が基準値より高い場合（ＹＥＳの場合）、複合機２は、現在時刻が属する曜日及び時間帯の風量を上げるように動作設定テーブルＴ１に記載されている上記時間帯の動作設定情報を書き換え（ステップＳ２７）、続くステップＳ２６において、その書き換えた動作設定情報を空気清浄機３に送信する。なお、ステップＳ２７において風量の設定値が上限であった場合には、そのまま処理をステップＳ２６へ進める。
【００４６】
また、ステップＳ２５において、平均ほこり密度が基準値より低い場合（ＹＥＳの場合）、複合機２は、現在時刻が属する曜日及び時間帯の風量を下げるように動作設定テーブルＴ１に記載されている上記時間帯の動作設定情報を書き換え（ステップＳ２８）、続くステップＳ２６において、その書き換えた動作設定情報を空気清浄機３に送信する。なお、ステップＳ２８において風量の設定値が下限であった場合には、そのまま処理をステップＳ２６へ進める。
【００４７】
以上のような構成とすることで、空気清浄機制御システム１では、予想される空気の汚れ度に応じて空気浄化を行うことができる。
なお、ステップＳ２４において計算した平均ほこり密度は例えば図３の平均密度テーブルＴ２のように四捨五入した形態で記憶することが好ましい。
【００４８】
第１及び第２の実施形態のように図２の動作設定テーブルＴ１や図３の平均密度テーブルＴ２を記憶しておくことで、複合機２はこれらテーブルを表示部２３ｂに表示することができる。このテーブルの表示は、複合機２に接続されたＰＣ等の外部機器の表示部に行うようにしてもよい。また、ほこり密度の情報は平均ほこり密度の形態でテーブルとして表示するのではなく、記憶部２２に蓄積されている５分ごとのもの等をそのまま表示するようにしてもよい。
【００４９】
以上の例では、複合機２に接続されていた空気清浄機３は一台であったが、複数台の空気清浄機が接続され、空気清浄機それぞれの動作設定情報を上述と同様に平均密度テーブルに基づいて変更するようにしてもよい。
【００５０】
また、以上の例では、１週間前の同じ曜日の平均ほこり密度を参照して、空気清浄機２の動作設定を決定していたが、決定方法はこれに限定されず、例えば、２週間分や一月分の同じ曜日のセンサ情報を参照するようにしてもよい。
また、以上の例では、１時間単位で動作設定を決定していたが、３０分単位など、より短い時間単位で決定してよいし、２時間単位など、もっと長い時間単位で決定してもよい。
【００５１】
さらに、本発明の環境情報であるセンサ情報は、上述のほこりセンサ３７によるものに限られない。
例えば、複数台のプラズマクラスター（登録商標）から構成されるイオン発生部とにおいセンサとを空気清浄機に設け、においセンサのセンサ情報に基づいてイオン発生部で動作させるプラズマクラスターの台数を決定するようにしてもよい。
また、加湿ユニットと湿度センサとを空気清浄機に設け、湿度センサのセンサ情報に基づいて、加湿ユニットを構成する円盤状の加湿フィルタの回転速度を決定するようにしてもよい。
【００５２】
以上のようにして複合機を介して空気清浄機を制御する理由は以下の（１）、（２）の通りである。
（１）空気清浄機の制御部はマイクロコンピュータから構成されることがほとんどであり、マイクロコンピュータの性能では上述のように制御することが難しい。
（２）複合機は、上述のように空気清浄機を制御可能な性能を制御部が有すると共に汎用のＯＳ（Operating System）を搭載しており、また、複合機は待機状態にあることが多いので、複合機を利用することにより、資源を有効活用することができる。
【００５３】
本発明の空気清浄機管理システムは、画像形成機能及び／または画像読取機能を有する画像処理装置と、環境情報を取得するセンサを有し、画像処理装置から受信した動作設定情報に基づいて動作可能な空気清浄機と、を備え、該空気清浄機は、センサでの取得結果を画像処理装置に送信し、該画像処理装置は、空気清浄機から受信したセンサでの取得結果を蓄積すると共に空気清浄機に送信する動作設定情報を記憶する記憶部を有し、該記憶部に記憶されている動作設定情報を、記憶部に蓄積されている取得結果に基づいて変更する。これにより、予想される空気の汚れ度に応じて適切に空気浄化を行うことができる。
【００５４】
環境情報は、例えば、ほこり、においまたは湿度に関する情報である。
【００５５】
画像処理装置は、記憶部に蓄積／記憶されている上記取得結果及び／または動作設定情報を表示する表示部を有するとよい。これにより、センサでの環境情報の取得結果及び動作設定情報を確認することができる。
【００５６】
空気清浄機管理システムは、空気清浄機を複数備え、画像処理装置が複数の空気清浄機それぞれの動作設定情報を前記記憶部に記憶しそれぞれの前記空気清浄機に送信するようにしてもよい。
【００５７】
本発明の画像処理装置は、画像形成機能及び／または画像読取機能を有する画像処理装置であって、環境情報を取得するセンサを有し当該画像処理装置から受信した動作設定情報に基づいて動作可能な空気清浄機から受信した、センサでの取得結果を蓄積すると共に空気清浄機に送信する動作設定情報を記憶する記憶部を有し、該記憶部に記憶されている動作設定情報を、記憶部に蓄積されている取得結果に基づいて変更する。これにより、予想される空気の汚れ度に応じて空気清浄機に適切に空気浄化を行わせることができる。
【符号の説明】
【００５８】
１…空気清浄機制御システム、２…複合機、３…空気清浄機、２１…制御部、２１ａ…タイマ、２１ｂ…時計部、２２…記憶部、２３…操作部、２３ｂ…表示部、２４…通信部、２５…空気清浄機Ｉ／Ｆ、２６…画像読取部、２７…画像形成部、３１…制御部、３２…記憶部、３３…操作部、３４…ＭＦＰ  Ｉ／Ｆ、３５…フィルタ、３６…ファン、３７…ほこりセンサ。
【図１】
2016201757.tif 000003
【図２】
2016201757.tif 000004
【図３】
2016201757.tif 000005
【図４】
2016201757.tif 000006
【図５】
2016201757.tif 000007
【図６】
2016201757.tif 000008
【図７】
2016201757.tif 000009